(57)【特許請求の範囲】
【請求項１】
透光性の基板の同一表面に、第１の方向に並ぶ透光性の第１の電極層と、第１の方向と交差する第２の方向に並ぶ透光性の第２の電極層とが設けられた入力装置において、
前記第１の電極層は、連結部によって第１の方向に向けて連続して形成され、前記第２の電極層は、前記連結部の両側に形成され、前記連結部を覆う絶縁層と、前記絶縁層の上に形成されて隣り合う第２の電極層どうしを導通させるブリッジ配線層とが設けられており、
前記絶縁層の図心（Ｇ１）を通って第２の方向に延びる絶縁中心線（Ｏ）を境とする一方の側において、前記絶縁層の縁部と前記第１の電極層の縁部とが２か所の交点で交差し、第１の交点（Ｃ１）と前記絶縁中心線（Ｏ）との距離（Ｌ１）が、第２の交点（Ｃ２）と前記絶縁中心線（Ｏ）との距離（Ｌ２）よりも短く設定されており、
前記絶縁層上に形成されている前記ブリッジ配線層が、前記第１の交点（Ｃ１）と第１の方向で対向する対向部を有しており、前記対向部は、第１の方向において、前記ブリッジ配線層の図心（Ｇ２）よりも、前記第１の交点（Ｃ１）から離れた位置に形成されていることを特徴とする入力装置。
【請求項２】
前記ブリッジ配線層は前記対向部を含む屈曲部を有しており、前記屈曲部が前記第１の交点（Ｃ１）から離れる方向へ変形している請求項１記載の入力装置。
【請求項３】
前記屈曲部が、曲線状に湾曲している請求項２記載の入力装置。
【請求項４】
前記屈曲部が、角部を有して曲がっている請求項２記載の入力装置。
【請求項５】
前記対向部は、前記屈曲部に含まれている請求項２ないし４のいずれかに記載の入力装置。
【請求項６】
前記ブリッジ配線層の両端部は、前記連結部の両側の前記第２の電極層と接続される接続部となっており、
それぞれの前記接続部が、前記絶縁中心線（Ｏ）上に位置している請求項１ないし５のいずれかに記載の入力装置。
【請求項７】
前記ブリッジ配線層の両端部は、前記連結部の両側の前記第２の電極層と接続される接続部となっており、
前記接続部が前記絶縁中心線（Ｏ）に対して傾斜して形成されている請求項１ないし５のいずれかに記載の入力装置。
【請求項８】
前記ブリッジ配線層の両端部は、前記連結部の両側の前記第２の電極層と接続される接続部となっており、
前記第１の交点（Ｃ１）と、第１の方向において前記第１の交点（Ｃ１）と対向する前記対向部から延出する前記接続部との相対位置では、
前記接続部の先端が、第１の方向において、前記ブリッジ配線層の図心（Ｇ２）よりも、前記第１の交点（Ｃ１）から離れた位置に有る請求項１記載の入力装置。
【請求項９】
前記ブリッジ配線層は、前記絶縁中心線（Ｏ）に対して傾斜する直線部を有し、前記直線部と前記先端との間に屈曲部が設けられており、
前記屈曲部は、曲げの内側が前記絶縁中心線（Ｏ）に向けられている請求項８記載の入力装置。
【請求項１０】
それぞれの前記接続部が前記絶縁中心線（Ｏ）と平行である請求項８または９記載の入力装置。
【請求項１１】
前記絶縁層は、短幅と長幅を有しており、長幅方向に延びる長軸が、第２の方向に対して傾いている請求項１ないし１０のいずれかに記載の入力装置。
【請求項１２】
前記基板の裏側に表示光を与える表示パネルが設けられ、前記表示パネルの内部または外表面にカラーフィルタが設けられており、前記カラーフィルタのそれぞれのサブピクセルが第１の方向と第２の方向へ向けて配列している請求項１ないし１１のいずれかに記載の入力装置。
【請求項１３】
前記サブピクセルが長方形であり、その長辺が第１の方向または第２の方向と平行に向けられている請求項１２記載の入力装置。
【発明の詳細な説明】
【技術分野】
【０００１】
本発明は、透光性の基板の表面に、Ｙ方向に連続する透光性の第１の電極層と、ブリッジ配線層で接続された透光性の第２の電極層とが設けられた入力装置に係り、特に、第１の電極層とブリッジ配線層とを絶縁する絶縁層が、背部からカラー表示光が与えられたときに目立ちにくい構造とした入力装置に関する。
【背景技術】
【０００２】
特許文献１と特許文献２および特許文献３に、指の接近を検知してその操作位置を検知する静電容量型のタッチパネルが開示されている。
【０００３】
このタッチパネルは、基板の同一面にＸ方向に延びる電極パターンと、Ｙ方向に延びる電極パターンとが形成されている。Ｙ方向に延びる電極パターンは、Ｙ方向に配列する菱形形状の電極単位と、隣り合う電極単位どうしを接続する接続配線とを有している。Ｘ方向に延びる電極パターンは、前記接続配線を挟んで分離されてＸ方向に配列する電極単位を有している。前記接続配線の上に絶縁層が形成され、Ｘ方向に配列する電極単位を導通させるブリッジ配線が、絶縁層の表面に形成されている。
【０００４】
この種のタッチパネルは、Ｘ方向に延びる複数の電極パターンと、Ｙ方向に延びる複数の電極パターンに順番に駆動電力が与えられる。導電体で且つ接地電位に近い指がいずれかの電極単位に接近すると、電極単位間の静電容量に加えて指と電極単位間に静電容量が形成されて、電極パターンに流れる電流などが変化する。
【０００５】
この変化を検知することで、電極パターンが配列しているＸ−Ｙ座標面においてどの位置に指が接近しているかが検知される。
【先行技術文献】
【特許文献】
【０００６】
【特許文献１】特開２０１０−２７１７９６号公報
【特許文献２】国際公開ＷＯ２０１０／０２９９７９号公報
【特許文献３】特開２０１３−１７８７００号公報
【発明の概要】
【発明が解決しようとする課題】
【０００７】
携帯用機器などでは、前記タッチパネルの基板と電極パターンならびに絶縁層が透光性材料で形成されて、タッチパネルがカラー液晶パネルの表面に設置される。
【０００８】
カラー液晶パネルは、その内部または外表面にカラーフィルタを有している。カラーフィルタは、Ｒ（赤）、Ｇ（緑）、Ｂ（青）の三色のサブピクセルが１組となって映像の色彩が表現される。一般的なカラーフィルタは、それぞれの色のサブピクセルが長方形であり、Ｘ方向とＹ方向へ規則的に配列されている。このＸ方向とＹ方向は、タッチパネルの電極パターンの延びる方向と一致している。
【０００９】
特許文献１と特許文献２に記載されたタッチパネルは、ブリッジ配線を絶縁している絶縁層が四角形であり、それぞれの絶縁層がＸ方向と平行な縁部ならびにＹ方向と平行な縁部を有している。絶縁層の縁部がこのような形状であると、絶縁層の縁部がカラーフィルタのサブピクセルの配列方向と同じであることに起因して、カラー表示光が与えられたときに絶縁層の縁部によって光のちらつきが発生することがある。特に、カラー液晶パネルから三原色のいずれかの単色の表示光が与えられると、絶縁層の部分で色にちらつきが発生しやすくなる。
【００１０】
そこで、特許文献３に記載された入力装置では、前記絶縁層の縁部をＸ方向に対して傾けることで、背部にカラー表示光を与える表示パネルが配置されたときに、カラーフィルタのサブピクセルの縁部と絶縁層の縁部とが平行に並ばないようにして、カラー表示光によって絶縁層の存在を目立ちにくくし、絶縁層の部分で光がちらつく現象を防止することを提案している。
【００１１】
しかし、絶縁層をその縁部をＸ方向に対して傾けて形成すると、Ｙ方向に連続している電極層と絶縁層の縁部との交点が、Ｘ方向に並ぶことなくＹ方向へ位置ずれして形成されることになる。したがって、ブリッジ配線の形成位置がＹ方向へ位置ずれすると、ブリッジ配線の一部が絶縁層の縁部から外側へはみ出して、Ｙ方向に連続する電極層と短絡する可能性が高くなる。これを防止するためには、絶縁層の面積を大きくすることが必要になるが、絶縁層の面積を大きくしてしまうと、カラー表示光が与えられたときに、絶縁層の縁部がさらに目立ちやすくなる。
【００１２】
本発明は上記従来の課題を解決するものであり、ブリッジ配線層の下に形成される絶縁層の縁部を第２の方向に対して傾けて形成したものにおいて、ブリッジ配線層が第１の方向へ位置ずれしても、第１の方向に連続する第１の電極層と短絡しにくい構造とし、絶縁層の面積をさらに小さくすることを可能とした入力装置を提供することを目的としている。
【課題を解決するための手段】
【００１３】
本発明は、透光性の基板の同一表面に、第１の方向に並ぶ透光性の第１の電極層と、第１の方向と交差する第２の方向に並ぶ透光性の第２の電極層とが設けられた入力装置において、
前記第１の電極層は、連結部によって第１の方向に向けて連続して形成され、前記第２の電極層は、前記連結部の両側に形成され、前記連結部を覆う絶縁層と、前記絶縁層の上に形成されて隣り合う第２の電極層どうしを導通させるブリッジ配線層とが設けられており、
前記絶縁層の図心（Ｇ１）を通って第２の方向に延びる絶縁中心線（Ｏ）を境とする一方の側において、前記絶縁層の縁部と前記第１の電極層の縁部とが２か所の交点で交差し、第１の交点（Ｃ１）と前記絶縁中心線（Ｏ）との距離（Ｌ１）が、第２の交点（Ｃ２）と前記絶縁中心線（Ｏ）との距離（Ｌ２）よりも短く設定されており、
前記絶縁層上に形成されている前記ブリッジ配線層が、前記第１の交点（Ｃ１）と第１の方向で対向する対向部を有しており、前記対向部は、第１の方向において、前記ブリッジ配線層の図心（Ｇ２）よりも、前記第１の交点（Ｃ１）から離れた位置に形成されていることを特徴とするものである。
【００１４】
本発明の入力装置は、前記ブリッジ配線層は前記対向部を含む屈曲部を有しており、前記屈曲部が前記第１の交点（Ｃ１）から離れる方向へ変形しているものとして構成できる。
【００１５】
この場合に、前記屈曲部が、曲線状に湾曲していることが好ましい。ただし、本発明は、前記屈曲部が、角部を有して曲がっているものであってもよい。
【００１６】
本発明の入力装置は、前記ブリッジ配線層の両端部が、前記連結部の両側の前記第２の電極層と接続される接続部となっており、それぞれの前記接続部が、前記絶縁中心線（Ｏ）上に位置している。
【００１７】
または、前記ブリッジ配線層の両端部は、前記連結部の両側の前記第２の電極層と接続される接続部となっており、前記接続部が前記絶縁中心線（Ｏ）に対して傾斜して形成されている。
【００１８】
あるいは、前記ブリッジ配線層の両端部は、前記連結部の両側の前記第２の電極層と接続される接続部となっており、前記第１の交点（Ｃ１）と、第１の方向において前記第１の交点（Ｃ１）と対向する前記対向部から延出する前記接続部との相対位置では、前記接続部の先端が、第１の方向において、前記ブリッジ配線層の図心（Ｇ２）よりも、前記第１の交点（Ｃ１）から離れた位置に有る。この場合に、それぞれの前記接続部が前記絶縁中心線（Ｏ）と平行であるものとして構成できる。
【００１９】
本発明の入力装置では、前記絶縁層は、短幅と長幅を有しており、長幅方向に延びる長軸が、第２の方向に対して傾いていることが好ましい。
【００２０】
本発明の入力装置は、前記基板の裏側に表示光を与える表示パネルが設けられ、前記表示パネルの内部または外表面にカラーフィルタが設けられており、前記カラーフィルタのそれぞれのサブピクセルが第１の方向と第２の方向へ向けて配列しているものに有効である。
【００２１】
さらに、前記サブピクセルが長方形であり、その長辺が第１の方向または第２の方向と平行に向けられているものに有効である。
【発明の効果】
【００２２】
本発明の入力装置は、ブリッジ配線層の下に形成された絶縁層の縁部が、第２の方向（Ｘ方向）に対して斜めに向けられているため、背部にカラー表示光を与える表示パネルが配置されたときに、カラー表示光によって絶縁層の存在が目立ちにくくなり、絶縁層の部分で光がちらつく現象を防止しやすくなる。
【００２３】
また、ブリッジ配線層が第１の方向（Ｙ方向）に位置ずれして形成されたとしても、ブリッジ配線層と第１の電極層とが短絡する可能性を低くでき、その結果、絶縁層の面積を小さくすることが可能となり、さらに絶縁層の存在を目立たなくすることができる。
【図面の簡単な説明】
【００２４】
【図１】本発明の実施の形態の入力装置を示す分解斜視図、
【図２】本発明の実施の形態の入力装置の構造を示す断面図、
【図３】本発明の第１の実施の形態の入力装置における電極層の配列パターンを示す平面図、
【図４】図３をＩＶ−ＩＶ線で切断した断面図の拡大図、
【図５】本発明の第１の実施の形態において、カラーフィルタのサブピクセルの配列と絶縁層との相対位置関係を示す平面図、
【図６】比較例において、カラーフィルタのサブピクセルの配列と絶縁層との相対位置関係を示す平面図、
【図７】本発明の第１の実施の形態において、絶縁層とブリッジ配線層を拡大して示す平面図、
【図８】本発明の第１の実施の形態において、ブリッジ配線層が第１の方向に位置ずれして形成された状態を拡大して示す平面図、
【図９】本発明の第２の実施の形態において、絶縁層とブリッジ配線層を拡大して示す平面図、
【図１０】本発明の第３の実施の形態において、絶縁層とブリッジ配線層を拡大して示す平面図、
【図１１】本発明の第４の実施の形態において、絶縁層とブリッジ配線層を拡大して示す平面図、
【図１２】本発明の第５の実施の形態において、絶縁層とブリッジ配線層を拡大して示す平面図、
【発明を実施するための形態】
【００２５】
図１と図２に示す入力装置１は、タッチパネル１０と表示パネル２０とが一体化されたものである。ただし本発明の入力装置１は、表示パネル２０と組み合わされる目的のためにタッチパネル１０のみで流通するものが含まれる。図１と図２では、Ｙ方向が第１の方向でＸ方向が第２の方向である。
【００２６】
入力装置１を構成するタッチパネル１０は、１枚の透光性の基板１１の入力側に向けられている表面１１ａに、第１の電極列１２と第２の電極列１３が形成されている。本明細書での透光性とは、純粋な透明に限られず、例えば全光線透過率が８０％以上のものが好ましく含まれる。
【００２７】
基板１１は、可撓性のフィルム状材料から構成されており、例えばＰＥＴフィルムが用いられる。または、基板１１をやや厚みのある樹脂パネルやガラス基板で構成することも可能である。第１の電極列１２と第２の電極列１３は、透光性の導電材料で形成されている。透光性の導電材料は、ＩＴＯ（Indium Tin Oxide）、ＳｎＯ２、ＺｎＯなどの酸化金属層、銀ナノワイヤーやカーボンナノワイヤーなどの導電性ナノワイヤー層、メッシュ状に形成された薄い金属層、あるいは導電性ポリマー層などである。
【００２８】
図３に示すように、第１の電極列１２は、四角形状または菱形形状の複数の第１の電極層１２ａを有している。複数の第１の電極層１２ａは、Ｙ方向に向けて直線的に配列し、Ｙ方向に隣り合う第１の電極層１２ａが連結部１２ｂによって連結されている。第１の電極層１２ａと連結部１２ｂは、同じ導電材料で一体に形成されている。
【００２９】
第２の電極列１３は、複数の第２の電極層１３ａを有している。第２の電極層１３ａは、第１の電極層１２ａと同じ形状で同じ面積に形成されている。第２の電極層１３ａは、第１の電極列１２の連結部１２ｂを挟むように互いに独立して形成されており、それぞれがＸ方向に向けて直線的に配列している。
【００３０】
ＰＥＴやガラスなどの透光性の基板１１の表面１１ａに、前記透明導電材料が積層された材料を使用し、透明導電材料の層をエッチングすることで、第１の電極列１２と第２の電極列１３が同時にパターン形成される。図７には、第１の電極列１２の第１の電極層１２ａならびに連結部１２ｂの具体的なパターン形状の一部と、第２の電極列１３の第２の電極層１３ａのパターン形状の一部が拡大して示されている。
【００３１】
図３と図４に示すように、第１の電極列１２のそれぞれの連結部１２ｂの上に絶縁層１４が形成されている。絶縁層１４はノボラック樹脂あるいはノボラック樹脂とアクリル樹脂などの透光性の有機絶縁材料で形成されている。基板１１の表面１１ａに第１の電極列１２と第２の電極列１３が形成された後に、フォトリソグラフ法などによって、連結部１２ｂの表面に絶縁層１４が所定の形状で形成される。
【００３２】
前記絶縁層１４の表面にブリッジ配線層１５が形成され、このブリッジ配線層１５によって、連結部１２ｂを挟んでＸ方向に隣接する第２の電極層１３ａどうしが導通させられる。ブリッジ配線層１５は、ＩＴＯ／ＣｕＮｉ、ＩＴＯ／ＡｕまたはＩＴＯ／Ａｕ合金との積層導電層、ＩＴＯ／ＣｕＮｉ／ＩＴＯ、ＩＴＯ／Ａｕ／ＩＴＯ、ＩＴＯ／Ａｕ合金／ＩＴＯなどの積層導電層で形成される。ブリッジ配線層１５は、目視しにくいように細く且つ薄く形成される。
【００３３】
前記第１の電極列１２と第２の電極列１３がＩＴＯで形成される場合には、これら電極列が結晶性のＩＴＯで形成され、ブリッジ配線層１５を構成する前記ＩＴＯがアモルファスで形成される。よって、前記絶縁層１４の上に薄い膜厚の導電層を形成し、選択性のエッチングを行うことで、ブリッジ配線層１５を形成することができる。
【００３４】
図３に示すように、連結部１２ｂによってＹ方向に連結されている第１の電極列１２の一部は、それぞれの縦列ごとにＹ引出電極層１６となって検知領域の外側に引き出されている。図１に示すように、基板１１の縁部に複数の第１のランド部１７が形成されており、それぞれのＹ引出電極層１６が第１のランド部１７に個別に接続されている。ブリッジ配線層１５でＸ方向に連結されている第２の電極列１３の一部は、それぞれの横列ごとにＸ引出電極層１８となって検知領域の外側に引き出されており、それぞれが図１に示す第２のランド部１９に個別に接続されている。
【００３５】
図１と図２に示すように、タッチパネル１０の基板１１の表面１１ａは、カバー層２で覆われている。カバー層２は、ポリカーボネートなどの透光性樹脂やガラス板で形成されている。カバー層２とタッチパネル１０は、透光性の光学粘着層（ＯＣＡ）を介して接着されている。
【００３６】
タッチパネル１０は、第１の電極列１２と第２の電極列１３との間に静電容量が形成されているが、入力操作によってカバー層２の表面に指を接触させると、第１の電極層１２ａまたは第２の電極層１３ａと指との間の静電容量が付加されて、静電容量の合計値が変化する。
【００３７】
第１の電極列１２に対して各列ごとに順番に駆動電力を印加し、第２の電極列１３から検出される電流値を各列ごとに順番に計測することで、カバー層２の表面において指が接触している操作箇所のＸ−Ｙ座標上の位置を特定できる。または、第２の電極列１３に対して各列ごとに順番に駆動電力を印加し、第１の電極列１２から検出される電流値を各列ごとに順番に計測することで、指が接触している操作箇所を特定できる。
【００３８】
図１と図３に示すタッチパネル１０は、第１の電極列１２を構成する第１の電極層１２ａが、Ｙ方向に直線的な列を成して配列し、第２の電極列１３を構成する第２の電極層１３ａが、Ｘ方向に直線的な列を成して配列している。そのため、いずれか一方の電極列に順番に駆動電力を印加して他方の電極列の電流を順番に監視することにより、カバー層２に指が触れた位置のＸ−Ｙ座標上の位置を、汎用的な手法で比較的容易に演算しやすい。
【００３９】
図１と図２に示すように、タッチパネル１０の背部にＰＥＴなどの背部フィルム３が透光性の光学粘着層（ＯＣＡ）を介して接着されている。背部フィルム３の上下のいずれかの表面にＩＴＯ層４が全面的に設けられ、ＩＴＯ層が接地電位に設定されている。このＩＴＯ層４によって、背部の表示パネル２０の駆動信号の影響を低減させて、タッチパネル１０の検知動作を安定させることができる。
【００４０】
図２の断面図に示される表示パネル２０はカラー液晶パネルである。表示パネル２０は、バックライト用の導光層２１を有している。ＬＥＤなどの光源から発せられた光は導光層２１からその上の層に与えられる。導光層２１の上に、偏光フィルタ２２、下側ガラス基板２３、下側透明電極２４、配向層２５が順に積層されている。その上に液晶層２６を介して、配向層２７、上側透明電極２８、カラーフィルタ２９、上側ガラス基板３１、偏光フィルタ３２が順に配置されている。
【００４１】
図５は、カラーフィルタ２９を構成しているサブピクセル３５Ｒ，３５Ｇ，３５Ｂを示している。サブピクセル３５Ｒは赤色層、サブピクセル３５Ｇは緑色層、サブピクセル３５Ｂは青色層である。３色のサブピクセル３５Ｒ，３５Ｇ，３５Ｂは全て同じ形状と同じ面積を有しており、短辺がＸ方向と平行に向けられ長辺がＹ方向と平行に向けられた長方形状である。図５に示すように、３色のサブピクセル３５Ｒ，３５Ｇ，３５Ｂが１組となって、各組が、Ｘ方向とＹ方向に直線的な列を成して配列されている。なお、サブピクセル３５Ｒ，３５Ｇ，３５Ｂは、長辺がＸ方向と平行に向けられていてもよい。
【００４２】
表示パネル２０の下側透明電極２４と上側透明電極２８とに駆動電力が与えられ、それぞれのサブピクセルに対応する液晶画素の光の透過量が制御されて、加法混合方式でカラー表示が行われる。
【００４３】
なおカラーフィルタ２９は、表示パネル２０の上側ガラス基板３１よりも上方の外表面に設けられていてもよい。
【００４４】
表示パネル２０から発せられるカラー表示光は、背部フィルム３とタッチパネル１０およびカバー層２を透過して前方へ送られて、操作者にカラー画像が与えられる。タッチパネル１０の複数箇所に絶縁層１４とブリッジ配線層１５が設けられているが、ブリッジ配線層１５は、なるべく薄く細く形成され、操作者が目視したときにブリッジ配線層１５が目立たないように設計されている。
【００４５】
図５と図７に示すように、第１の実施の形態の入力装置１では、絶縁層１４が長方形であり、互いに平行な２つの長辺１４ａ，１４ｂと、互いに平行な２つの短辺１４ｃ，１４ｄを有している。長辺１４ａ，１４ｂの延びる方向が長幅方向であり、短辺１４ｃ，１４ｄの延びる方向が短幅方向である。図７には、絶縁層１４の長幅方向に延びる中心線が長軸Ａとして示されている。絶縁層１４は、長軸ＡがＸ−Ｙ軸に対して傾くように形成されており、長辺１４ａ，１４ｂおよび短辺１４ｃ，１４ｄが、サブピクセル３５Ｒ，３５Ｇ，３５Ｂの配列方向に対して傾いている。
【００４６】
図６は比較例を示している。比較例に示す絶縁層１１４は正方形であり、各辺はＸ軸とＹ軸と平行な向きとなっている。
【００４７】
図６に示す比較例では、表示パネル２０からタッチパネル１０にカラー表示光が与えられると、絶縁層１４の縁部が光るように反応し、操作者に与えられるカラー画像の中に多数のちらつきが目視されることがある。特に、三原色のいずれかの単色の画像を表示する領域において前記ちらつきが目視されやすい。
【００４８】
その理由は、長方形のサブピクセル３５Ｒ，３５Ｇ，３５Ｂの長辺と、絶縁層１１４の辺とが平行であるため、Ｙ方向に長い領域のサブピクセルから発せられる同じ色相が絶縁層１１４の辺の縁部に集中しやすいこと、ならびに、図４に示すようにやや曲面形状となっている絶縁層１１４の辺の縁部のレンズ効果により、三原色のサブピクセルから発せられる同じ色相の色が強調されやすいことが要因であると予測される。
【００４９】
これに対し、図５と図７に示す実施の形態では、絶縁層１４の長辺１４ａ，１４ｂと短辺１４ｃ，１４ｄが、サブピクセル３５Ｒ，３５Ｇ，３５Ｂの長辺を横切るように斜めに形成されているため、同じ色相の色が絶縁層１４の辺の縁部に集中することが起こりにくくなり、その結果、カラー画像を表示する領域、特に三原色の単色が表示される領域にちらつきが発生しにくくなる。
【００５０】
絶縁層１４は、Ｘ軸とＹ軸の双方に対して線非対称な形状とすると、前記ちらつきを防止しやすくなる。図５と図７に示す第１の実施の形態では、絶縁層１４を長方形とし、長軸ＡをＸ軸に対して傾けることで、絶縁層１４のＸ−Ｙ軸に対する線非対称性をさらに強調することができ、前記ちらつきを防止する効果を高めることができる。また、絶縁層１４を長方形とすることで、短辺１４ｃ，１４ｄを短くでき、さらに絶縁層１４の辺の縁部を目立たなくすることが可能である。
【００５１】
図７では、絶縁層１４の図心（重心）がＧ１で示され、前記図心Ｇ１を通ってＸ方向に延びる直線を絶縁中心線Ｏとしている。
【００５２】
図７に示すように、絶縁層１４のＸ軸とＹ軸に対する線非対称を強調するために、絶縁層１４の形状を長方形とし、長辺１４ａ，１４ｂをＸ軸に対して傾けた結果、絶縁中心線Ｏを境とするＹ１側では、長辺１４ａの縁部と第１の電極層１２ａの縁部とが交差する第１の交点Ｃ１と、短辺１４ｃの縁部と第１の電極層１２ａの縁部とが交差する第２の交点Ｃ２が、Ｘ方向に向けて並ぶことができなくなる。すなわち、第１の交点Ｃ１と絶縁中心線Ｏとの第１の方向（Ｙ方向）での距離Ｌ１が、第２の交点Ｃ２と絶縁中心線Ｏとの同方向での距離Ｌ２よりも短くなる。これは、絶縁中心線Ｏを境とするＹ２側においても同じである。
【００５３】
そのため、ブリッジ配線層１５が、エッチングの公差などにより第１の方向（Ｙ１方向またはＹ２方向）に位置ずれして形成されると、ブリッジ配線層１５の一部が第１の交点Ｃ１よりもＹ１側またはＹ２側へはみ出して第１の電極層１２ａに短絡する可能性が高くなる。そこで、第１の実施の形態では、ブリッジ配線層１５を図７に示す形状としている。
【００５４】
図７では、ブリッジ配線層１５の図心Ｇ２が、絶縁層１４の図心Ｇ１に一致している。ブリッジ配線層１５は、短幅寸法よりも長幅寸法が十分に長いストライブ形状である。ブリッジ配線層１５は、図心Ｇ２に対して１８０度の回転対称形状であるが、Ｘ軸とＹ軸に対して（絶縁中心線Ｏに対して）線非対称の形状である。
【００５５】
ブリッジ配線層１５は、Ｘ１側の端部が接続部１５ａであり、Ｘ２側の端部が接続部１５ｂである。図４に示すように、接続部１５ａはＸ１側の第２の電極層１３ａに重ねられて導通しており、接続部１５ｂはＸ２側の第２の電極層１３ａに重ねられて導通している。接続部１５ａ，１５ｂはＸ方向に向けて直線形状であり、ブリッジ配線層１５の図心Ｇ２が絶縁層１４の図心Ｇ１に一致しているときに、接続部１５ａ，１５ｂは絶縁中心線Ｏと一致している。
【００５６】
ブリッジ配線層１５は、Ｘ１側でＹ２側に位置する第１の交点Ｃ１に対して第１の方向（Ｙ方向）で対向する第１の対向部１５ｃと、Ｘ２側でＹ１側に位置する第１の交点Ｃ１に対して第１の方向（Ｙ方向）で対向する第２の対向部１５ｅとを有している。第１の対向部１５ｃと第２の対向部１５ｅは絶縁層１４と重なる領域に位置している。ブリッジ配線層１５には、第１の対向部１５ｃを含む第１の屈曲部１５ｄと、第２の対向部１５ｅを含む第２の屈曲部１５ｆが形成されている。
【００５７】
第１の屈曲部１５ｄは、Ｘ１側でＹ２側に位置する第１の交点Ｃ１からＹ１方向へ離れるように湾曲し、第１の対向部１５ｃは、Ｙ方向において、図心Ｇ２よりもＸ１側の交点Ｃ１から離れた位置にある。第２の屈曲部１５ｆは、Ｘ２側でＹ１側に位置する第１の交点Ｃ１からＹ２方向へ離れるように湾曲し、第２の対向部１５ｅは、Ｙ方向において、図心Ｇ２よりもＸ２側の交点Ｃ１から離れた位置にある。
【００５８】
第１の屈曲部１５ｄと第２の屈曲部１５ｆでの「屈曲」とは、図７の実施の形態のように長辺が円弧形状など曲線状に変化する湾曲形状であり、あるいは図１２に示す第５の実施の形態のように、角部を有して曲がる形状である。ただし、ブリッジ配線層１５の長辺は全て曲線で構成されており、角部は存在していないことが好ましい。角部を設けないことで、ブリッジ配線層１５に対して背部からカラー表示光が与えられたときに、この表示光が角部に反射して目視されるのを避けることができる。
【００５９】
図８は、エッチング工程での公差などによって、ブリッジ配線層１５がＹ１側に位置ずれして形成され、ブリッジ配線層１５の図心Ｇ２が絶縁層１４の図心Ｇ１よりもＹ１側に移動した状態を示している。
【００６０】
図８において破線で示すように、ブリッジ配線層１５がＸ方向に向けて直線状に形成されていたと仮定すると、ブリッジ配線層１５が図８に示す位置に形成されると、ブリッジ配線層１５の一部がＸ２側の第１の交点Ｃ１よりもＹ１側にはみ出してしまい、第１の電極層１２ａと短絡してしまう。
【００６１】
これに対し、第１の実施の形態では、ブリッジ配線層１５にＸ２側の第１の交点Ｃ１から離れる方向に向けて突曲線状に形成された第２の屈曲部１５ｆが形成されており、第２の屈曲部１５ｆの一部である第２の対向部１５ｅがＸ２側の第１の交点Ｃ１よりもＹ２側に離れて位置している。そのため、ブリッジ配線層１５が図８に示すように位置ずれしていても、ブリッジ配線層１５が第１の電極層１２ａに短絡する確率を低下させることができる。
【００６２】
同様に、図心Ｇ２が図心Ｇ１よりもＹ２側へ移動するように、ブリッジ配線層１５がＹ２方向へ位置ずれして形成されたときも、第１の屈曲部１５ｄがＹ１方向へむけて突曲線状に形成されているため、ブリッジ配線層１５が第１の電極層１２ａに短絡しにくくなる。
【００６３】
その結果、長方形の絶縁層１４の短辺１４ｃ，１４ｄを短くできるようになり、カラー表示光による絶縁層１４の縁部によるちらつきをさらに有効に防止できるようになる。
【００６４】
本発明では、ブリッジ配線層１５の形状を、図９に示す第２の実施の形態のように変形させることが可能である。
【００６５】
図９に示す第２の実施の形態では、ブリッジ配線層１５の接続部１５ａと第２の接続部１５ｂが、絶縁中心線Ｏに対して傾いて形成されている。
【００６６】
また、絶縁層は、絶縁層の縁部と第１の電極層１２ａの縁部との交点のうち、第１の交点Ｃ１が第２の交点Ｃ２よりも、絶縁中心線Ｏに接近しているものであれば、どのようなパターンで形成されてもよい。例えば、図１０に示す第３の実施の形態のように、絶縁層１１４が長方形や正方形の四角形の各角部を円弧などの突曲線形状としたものであって、その長軸Ａ１が絶縁中心線Ｏに対して傾いているものであってもよい。
【００６７】
図１１には、本発明の第４の実施の形態の入力装置が示されている。
図１１に示すブリッジ配線層１５は、絶縁層１４の上に、図心Ｇ２を含む直線部１５ｇを有しており、直線部１５ｇは、絶縁中心線Ｏに対して傾斜して形成されている。第１の対向部１５ｃと第２の対向部１５ｅは直線部１５ｇに位置し、第１の対向部１５ｃが、Ｘ１側でＹ２側に位置する第１の交点Ｃ１からＹ１方向へ離れる位置に形成されている。同様に、第２の対向部１５ｅが、Ｘ２側でＹ１側に位置する第１の交点Ｃ１からＹ２側に離れる位置に形成されている。
【００６８】
すなわち、各対向部１５ｃ，１５ｅは、第１の方向（Ｙ方向）において、ブリッジ配線層１５の図心Ｇ２よりも、第１の交点Ｃ１から離れた位置に形成されている。
【００６９】
ブリッジ配線層１５は、直線部１５ｇの両側に接続部１５ａ，１５ｂを有している。直線部１５ｇと接続部１５ａとの境界部が第１の屈曲部１５ｄとなっており、直線部１５ｇと接続部１５ｂとの境界部が第２の屈曲部１５ｆとなっている。第１の屈曲部１５ｄと第２の屈曲部１５ｆは湾曲形状である。
【００７０】
接続部１５ａと接続部１５ｂは、絶縁中心線Ｏと平行に延びているが、接続部１５ａの先端１５ａ１が、第１の交点Ｃ１よりも図心Ｇ２から離れるように、絶縁中心線ＯよりもＹ１側に位置している。接続部１５ｂの先端１５ｂ１は、第１の交点Ｃ１よりも図心Ｇ２から離れるように、絶縁中心線ＯよりもＹ２側に位置している。
【００７１】
図１２に示す第５の実施の形態では、ブリッジ配線層１５に形成された屈曲部１５ｈ，１５ｉが角部を有して曲げられている。前述のように屈曲部は湾曲していることが好ましいが、前記各実施の形態において、図１２に示すように角部を有する屈曲部１５ｈ，１５ｉが形成されていてもよい。
【００７２】
なお、本発明は、表示パネルがエレクトロルミネッセンスパネルまたは有機エレクトロルミネッセンスパネルなどであり、サブピクセル３５Ｒ，３５Ｇ，３５Ｂが、エレクトロルミネッセンスパネルの各画素であってもよい。この場合も同様の効果を奏することができる。
【符号の説明】
【００７３】
１  入力装置
２  カバー層
１０  タッチパネル
１１  基板
１２  第１の電極列
１２ａ  第１の電極層
１２ｂ  連結部
１３  第２の電極列
１３ａ  第２の電極層
１４  絶縁層
１４ａ，１４ｂ  長辺
１４ｃ，１４ｄ  短辺
１５  ブリッジ配線層
１５ａ，１５ｂ  接続部
１５ａ１，１５ｂ１  先端
１５ｃ  第１の対向部
１５ｄ  第１の屈曲部
１５ｅ  第２の対向部
１５ｆ  第２の屈曲部
１５ｇ  直線部
２０  表示パネル
３５Ｒ，３５Ｇ，３５Ｂ  サブピクセル
Ａ  絶縁層の長軸
Ｃ１  第１の交点
Ｃ２  第２の交点
Ｇ１  絶縁層の図心
Ｇ２  ブリッジ配線層の図心
Ｏ  絶縁中心線
【図１】
0006338548.tif 000002
【図２】
0006338548.tif 000003
【図３】
0006338548.tif 000004
【図４】
0006338548.tif 000005
【図５】
0006338548.tif 000006
【図６】
0006338548.tif 000007
【図７】
0006338548.tif 000008
【図８】
0006338548.tif 000009
【図９】
0006338548.tif 000010
【図１０】
0006338548.tif 000011
【図１１】
0006338548.tif 000012
【図１２】
0006338548.tif 000013